(57)【要約】【課題】肘掛部を取り外すことなく使用時よりも幅寸法を抑えることができる椅子型マッサージ機を提供する。【解決手段】椅子型マッサージ機は、座部と、肘掛部と、前記肘掛部を回転軸回りに回転させる回転機構と、を備える。前記回転軸は、前記椅子型マッサージ機が使用状態であるときに、前記肘掛部の底面の法線方向に略平行であり、且つ、前記肘掛部の短手方向において幅中心よりも前記座部に近い側に位置する。【選択図】図５
2020081647.tif 000002
【特許請求の範囲】
【請求項１】
座部と、
肘掛部と、
前記肘掛部を回転軸回りに回転させる回転機構と、
を備える椅子型マッサージ機であって、
前記回転軸は、前記椅子型マッサージ機が使用状態であるときに、前記肘掛部の底面の法線方向に略平行であり、且つ、前記肘掛部の短手方向において幅中心よりも前記座部に近い側に位置する、椅子型マッサージ機。
【請求項２】
背凭れ部を備え、
前記回転軸は、前記椅子型マッサージ機が使用状態であるときに、前記肘掛部の長手方向において幅中心よりも前記背凭れ部に遠い側に位置する、請求項１に記載の椅子型マッサージ機。
【請求項３】
前記椅子型マッサージ機が使用状態であるときに前記背凭れ部が前記座部に最も近づいている状態で、前記肘掛部の短手方向から視て前記肘掛部が前記背凭れ部と重なっており、
前記椅子型マッサージ機が使用状態であるときに前記背凭れ部が前記座部に最も近づいている状態での前記背凭れ部と前記座部との位置関係を維持したまま、前記椅子型マッサージ機が使用状態であるときに対して前記肘掛部を略半回転させることができる、請求項２に記載の椅子型マッサージ機。
【発明の詳細な説明】
【技術分野】
【０００１】
本発明は、肘掛部を備えた椅子型マッサージ機に関する。
【背景技術】
【０００２】
椅子型マッサージ機を室内に搬入する場合や室内から搬出する場合、椅子型マッサージ機の幅寸法が部屋の開口部の幅寸法よりも小さくなければ、椅子型マッサージ機が部屋の開口部を通過できない。
【先行技術文献】
【特許文献】
【０００３】
【特許文献１】特開２００９−８２４２５号公報
【発明の概要】
【発明が解決しようとする課題】
【０００４】
肘掛部を取り外し式にすることで、上述した制約を緩和することができるが、肘掛部の取り付け作業が必要となり、作業に手間がかかるという問題や作業ミスが生じ得るという問題が懸念される。
【０００５】
特許文献１で提案されている椅子式マッサージ機は上記の問題を解決することができる。特許文献１では、肘載部材をその長手軸廻りに回転させる機構、肘載部材をスライドさせる機構、それらの組み合わせの３種類が、椅子式マッサージ機の幅寸法を変更可能にする手段（幅員減少手段）として開示されている。
【０００６】
しかしながら、特許文献１で開示されている幅員減少手段は、ロック機能の追加、エア配管の追加、電気配線の追加などの可能性を考慮すると、最適な機構とは言い難いものであった。
【０００７】
本発明は、上記の状況に鑑み、肘掛部を取り外すことなく使用時よりも幅寸法を抑えることができる椅子型マッサージ機を提供することを目的とする。
【課題を解決するための手段】
【０００８】
本明細書中に開示されている椅子型マッサージ機は、座部と、肘掛部と、前記肘掛部を回転軸回りに回転させる回転機構と、を備え、前記回転軸は、前記椅子型マッサージ機が使用状態であるときに、前記肘掛部の底面の法線方向に略平行であり、且つ、前記肘掛部の短手方向において幅中心よりも前記座部に近い側に位置する構成（第１の構成）である。
【０００９】
上記第１の構成の椅子型マッサージ機において、背凭れ部を備え、前記回転軸は、前記椅子型マッサージ機が使用状態であるときに、前記肘掛部の長手方向において幅中心よりも前記背凭れ部に遠い側に位置する構成（第２の構成）にしてもよい。
【００１０】
上記第２の構成の椅子型マッサージ機において、前記椅子型マッサージ機が使用状態であるときに前記背凭れ部が前記座部に最も近づいている状態で、前記肘掛部の短手方向から視て前記肘掛部が前記背凭れ部と重なっており、前記椅子型マッサージ機が使用状態であるときに前記背凭れ部が前記座部に最も近づいている状態での前記背凭れ部と前記座部との位置関係を維持したまま、前記椅子型マッサージ機が使用状態であるときに対して前記肘掛部を略半回転させることができる構成（第３の構成）にしてもよい。
【発明の効果】
【００１１】
本明細書中に開示されている椅子型マッサージ機によれば、肘掛部を取り外すことなく使用時よりも幅寸法を抑えることができる。
【図面の簡単な説明】
【００１２】
【図１】第１実施形態に係る椅子型マッサージ機の使用状態における正面図
【図２】第１実施形態に係る椅子型マッサージ機の使用状態における平面図
【図３】第１実施形態に係る椅子型マッサージ機の使用状態における側面図
【図４】第１実施形態に係る椅子型マッサージ機の非使用状態における正面図
【図５】第１実施形態に係る椅子型マッサージ機の非使用状態における平面図
【図６】第１実施形態に係る椅子型マッサージ機の非使用状態における側面図
【図７】第２実施形態に係る椅子型マッサージ機の使用状態における正面図
【図８】第２実施形態に係る椅子型マッサージ機の使用状態における平面図
【図９】第２実施形態に係る椅子型マッサージ機の使用状態における側面図
【図１０】第２実施形態に係る椅子型マッサージ機の非使用状態における正面図
【図１１】第２実施形態に係る椅子型マッサージ機の非使用状態における平面図
【図１２】第２実施形態に係る椅子型マッサージ機の非使用状態における側面図
【発明を実施するための形態】
【００１３】
以下、本発明の例示的な実施形態について、図面を参照しながら詳細に説明する。
【００１４】
＜１．第１実施形態＞
図１は第１実施形態に係る椅子型マッサージ機１（以下、「マッサージ機１」と称す）の使用状態における正面図である。図２はマッサージ機１の使用状態における平面図である。図３はマッサージ機１の使用状態における側面図である。なお、図１〜図３及び後述する図４〜図６では、マッサージ機１の骨格を構成する部品のみを図示している。
【００１５】
以下の説明において、背凭れ部３が倒れていない状態のマッサージ機１に着座した被施療者から見て前側（正面側）を「前側」といい、背凭れ部３が倒れていない状態のマッサージ機１に着座した被施療者から見て後側（背面側）を「後側」という。また、背凭れ部３が倒れていない状態のマッサージ機１に着座した被施療者から見て上側（頭側）を「上側」といい、背凭れ部３が倒れていない状態のマッサージ機１に着座した被施療者から見て下側（脚側）を「下側」という。また、背凭れ部３が倒れていない状態のマッサージ機１に着座した被施療者から見て右側を「右側」といい、背凭れ部３が倒れていない状態のマッサージ機１に着座した被施療者から見て左側を「左側」という。
【００１６】
マッサージ機１は、座部２、背凭れ部３、オットマン４、右側肘掛部５Ｒ、左側肘掛部５Ｌ、右側支持部６Ｒ、及び左側支持部６Ｌを備える。
【００１７】
座部２は、被施療者の臀部及び太腿部を支持する。
【００１８】
背凭れ部３は、被施療者の肩、腰、及び背中を支持する。背凭れ部３は、左右方向に沿って延びるリクライニング回転軸回りに回動可能に、座部２の後端に取り付けられている。背凭れ部３には、施療子を有するマッサージユニット（不図示）が設けられる。マッサージユニットは、背凭れ部３に設けられるガイドレール（不図示）によって案内されて背凭れ部３の長手方向に昇降する。なお、ガイドレールを座部２の後部にまで延長し、マッサージユニットが座部２及び背凭れ部３の長手方向に昇降するようにしてもよい。マッサージユニットは、施療子と、施療子に揉み動作を行わせる揉み駆動機構と、施療子にたたき動作を行わせるたたき駆動機構と、を備える。
【００１９】
オットマン４は、被施療者の下腿及び足を収容する。
【００２０】
右側肘掛部５Ｒは、被施療者の右腕の前腕部を支持する。左側肘掛部５Ｌは、被施療者の左腕の前腕部を支持する。
【００２１】
右側支持部６Ｒは、右側肘掛部５Ｒを第１回転軸Ｘ１回りに回転可能に支持する。すなわち、マッサージ機１は、右側支持部６Ｒを第１回転軸Ｘ１回りに回転させる第１回転機構を備える。第１回転機構は、例えば、右側肘掛部５Ｒ及び右側支持部６Ｒの一方に設けられ第１回転軸Ｘ１に沿って突出する第１突出部と、右側肘掛部５Ｒ及び右側支持部６Ｒの他方に設けられ第１突出部が回転可能に嵌められる第１凹部と、によって構成される。また、右腕を施療するためのエアバッグを右側肘掛部５Ｒに設ける場合、例えば、上記の第１突出部を筒形状とし、上記の第１凹部を貫通孔形状として筒内部及び貫通孔内部にエア配管を通せばよい。また、エアバッグによるマッサージの強さを測定するための圧力センサ、被施療者の状態を検知するための生体センサ等の電子部品を右側肘掛部５Ｒに設ける場合、例えば、上記の第１突出部を筒形状とし、上記の第１凹部を貫通孔形状として筒内部及び貫通孔内部に電気配線を通せばよい。
【００２２】
第１回転軸Ｘ１は、右側肘掛部５Ｒの底面（下面）の法線方向に略平行である。
【００２３】
第１回転軸Ｘ１は、マッサージ機１が使用状態であるときに、右側肘掛部５Ｒの短手方向において幅中心よりも座部２に近い側に位置する。すなわち、マッサージ機１が使用状態であるときに、右側肘掛部５Ｒの短手方向における右側肘掛部５Ｒの右端から第１回転軸Ｘ１までの距離Ｄ１は、右側肘掛部５Ｒの短手方向における右側肘掛部５Ｒの左端から第１回転軸Ｘ１までの距離Ｄ２よりも長い（図１参照）。
【００２４】
第１回転軸Ｘ１は、右側肘掛部５Ｒの長手方向において略幅中心に位置する。すなわち、右側肘掛部５Ｒの長手方向における右側肘掛部５Ｒの一端から第１回転軸Ｘ１までの距離Ｄ３は、右側肘掛部５Ｒの長手方向における右側肘掛部５Ｒの他端から第１回転軸Ｘ１までの距離Ｄ４と略同一である。
【００２５】
左側支持部６Ｌは、左側肘掛部５Ｌを第２回転軸Ｘ２回りに回転可能に支持する。すなわち、マッサージ機１は、左側支持部６Ｌを第２回転軸Ｘ２回りに回転させる第２回転機構を備える。第２回転機構は、例えば、左側肘掛部５Ｌ及び左側支持部６Ｌの一方に設けられ第２回転軸Ｘ２に沿って突出する第２突出部と、左側肘掛部５Ｌ及び左側支持部６Ｌの他方に設けられ第２突出部が回転可能に嵌められる第２凹部と、によって構成される。また、左腕を施療するためのエアバッグを左側肘掛部５Ｌに設ける場合、例えば、上記の第２突出部を筒形状とし、上記の第２凹部を貫通孔形状として筒内部及び貫通孔内部にエア配管を通せばよい。また、エアバッグによるマッサージの強さを測定するための圧力センサ、被施療者の状態を検知するための生体センサ等の電子部品を左側肘掛部５Ｌに設ける場合、例えば、上記の第２突出部を筒形状とし、上記の第２凹部を貫通孔形状として筒内部及び貫通孔内部に電気配線を通せばよい。
【００２６】
第２回転軸Ｘ２は、左側肘掛部５Ｌの底面（下面）の法線方向に略平行である（図３参照）。
【００２７】
第２回転軸Ｘ２は、マッサージ機１が使用状態であるときに、左側肘掛部５Ｌの短手方向において幅中心よりも座部２に近い側に位置する。すなわち、マッサージ機１が使用状態であるときに、左側肘掛部５Ｌの短手方向における左側肘掛部５Ｌの左端から第２回転軸Ｘ２までの距離Ｄ５は、左側肘掛部５Ｌの短手方向における左側肘掛部５Ｌの右端から第２回転軸Ｘ２までの距離Ｄ６よりも長い（図１参照）。
【００２８】
第２回転軸Ｘ２は、左側肘掛部５Ｌの長手方向において略幅中心に位置する。すなわち、左側肘掛部５Ｌの長手方向における左側肘掛部５Ｌの一端から第２回転軸Ｘ２までの距離Ｄ７は、左側肘掛部５Ｌの長手方向における左側肘掛部５Ｌの他端から第２回転軸Ｘ２までの距離Ｄ８と略同一である（図３参照）。
【００２９】
図１〜図３に示す使用状態から右側肘掛部５Ｒを第１回転軸Ｘ１回りに略半回転させ、左側肘掛部５Ｌを第２回転軸Ｘ２回りに略半回転させると、図４〜図６に示す非使用状態に変化する。
【００３０】
図４は、マッサージ機１の非使用状態における正面図である。図５は、マッサージ機１の非使用状態における平面図である。図６は、マッサージ機１の非使用状態における側面図である。
【００３１】
図１〜図３に示す使用状態では、右側肘掛部５Ｒの右端が右側支持部６Ｒの右端よりも右側に位置しており、左側肘掛部５Ｌの左端が左側支持部６Ｌの左端よりも左側に位置している。一方、距離Ｄ１が距離Ｄ２より大きく、距離Ｄ５が距離Ｄ６より大きいため、図４〜図６に示す非使用状態では、右側肘掛部５Ｒ及び左側肘掛部５Ｌが座部２側に収納されて、右側支持部６Ｒの右端が右側肘掛部５Ｒの右端よりも右側に位置しており、左側支持部６Ｌの左端が左側肘掛部５Ｌの左端よりも左側に位置している。その結果、図４〜図６に示す非使用状態におけるマッサージ機１の幅寸法Ｗ２は図１〜図３に示す使用状態におけるマッサージ機１の幅寸法Ｗ１よりも小さくなる。
【００３２】
したがって、例えばマッサージ機１を梱包する場合、マッサージ機１を室内に搬入する場合、室内から搬出する場合等に、マッサージ機１の右側肘掛部５Ｒ及び左側肘掛部５Ｌを図４〜図６に示す状態にすることで、マッサージ機１の幅寸法を抑えることができる。そして、マッサージ機１の長さ寸法を抑える場合には、図４〜図６に示す状態にすればよい。一方、マッサージ機１の高さ寸法を抑える場合には、背凭れ部３を倒して座部２から遠ざければよい。
【００３３】
また、右側肘掛部５Ｒ及び左側肘掛部５Ｌが取り外し式でないため、右側肘掛部５Ｒ及び左側肘掛部５Ｌの取り付け作業が不要となり、作業に手間がかかるという問題や作業ミスが生じ得るという問題が起こらない。
【００３４】
さらに、腕を施療するためのエアバッグを右側肘掛部５Ｒ及び左側肘掛部５Ｌに設ける場合、腕よりも座部２に近い位置に設けられるエアバッグが腕に与える力と腕よりも座部２に遠い位置に設けられるエアバッグが腕に与える力とが一致していなければ、肘掛部の長手方向を軸とするモーメントが発生する。特許文献１で提案されている椅子式マッサージ機では、上記モーメントの軸が肘載部材の回転軸に一致しているので、例え肘載部材の位置を固定するロック機構を設けても肘載部材ががたつき易い。一方、上述したマッサージ機１では、上記モーメントの軸が右側肘掛部５Ｒ及び左側肘掛部５Ｌの回転軸に一致していないので、右側肘掛部５Ｒ及び左側肘掛部５Ｌががたつき難い。
【００３５】
＜２．第２実施形態＞
図７は第２実施形態に係る椅子型マッサージ機１’（以下、「マッサージ機１’」と称す）の使用状態における正面図である。図８はマッサージ機１’の使用状態における平面図である。図９はマッサージ機１’の使用状態における側面図である。なお、図７〜図９及び後述する図１０〜図１２では、マッサージ機１’の骨格を構成する部品のみを図示している。
【００３６】
マッサージ機１’は、右側肘掛部５Ｒ及び左側肘掛部５Ｌの形状と第１回転軸Ｘ１及び第２回転軸Ｘ２の位置とがマッサージ機１と異なっており、それ以外の点ではマッサージ機１と同様である。
【００３７】
図７〜図９に示す使用状態において、右側肘掛部５Ｒ及び左側肘掛部５Ｌの後部は左右方向から視て背凭れ部３と重なっている（図８及び図９参照）。
【００３８】
第１回転軸Ｘ１は、右側肘掛部５Ｒの底面（下面）の法線方向に略平行である。
【００３９】
第１回転軸Ｘ１は、マッサージ機１’が使用状態であるときに、右側肘掛部５Ｒの短手方向において幅中心よりも座部２に近い側に位置する。すなわち、マッサージ機１’が使用状態であるときに、右側肘掛部５Ｒの短手方向における右側肘掛部５Ｒの右端から第１回転軸Ｘ１までの距離Ｄ１は、右側肘掛部５Ｒの短手方向における右側肘掛部５Ｒの左端から第１回転軸Ｘ１までの距離Ｄ２よりも長い（図７参照）。
【００４０】
第１回転軸Ｘ１は、マッサージ機１’が使用状態であるときに、右側肘掛部５Ｒの長手方向において幅中心よりも背凭れ部３に遠い側に位置する。すなわち、マッサージ機１’が使用状態であるときに、右側肘掛部５Ｒの長手方向における右側肘掛部５Ｒの前端から第１回転軸Ｘ１までの距離Ｄ３は、右側肘掛部５Ｒの長手方向における右側肘掛部５Ｒの後端から第１回転軸Ｘ１までの距離Ｄ４よりも短い。
【００４１】
第２回転軸Ｘ２は、左側肘掛部５Ｌの底面（下面）の法線方向に略平行である（図９参照）。
【００４２】
第２回転軸Ｘ２は、マッサージ機１’が使用状態であるときに、左側肘掛部５Ｌの短手方向において幅中心よりも座部２に近い側に位置する。すなわち、マッサージ機１’が使用状態であるときに、左側肘掛部５Ｌの短手方向における左側肘掛部５Ｌの左端から第２回転軸Ｘ２までの距離Ｄ５は、左側肘掛部５Ｌの短手方向における左側肘掛部５Ｌの右端から第２回転軸Ｘ２までの距離Ｄ６よりも長い（図７参照）。
【００４３】
第２回転軸Ｘ２は、マッサージ機１’が使用状態であるときに、左側肘掛部５Ｌの長手方向において幅中心よりも背凭れ部３に遠い側に位置する。すなわち、マッサージ機１’が使用状態であるときに、左側肘掛部５Ｌの長手方向における左側肘掛部５Ｌの前端から第２回転軸Ｘ２までの距離Ｄ７は、左側肘掛部５Ｌの長手方向における左側肘掛部５Ｌの後端から第２回転軸Ｘ２までの距離Ｄ８よりも短い（図９参照）。
【００４４】
図７〜図９に示す使用状態から右側肘掛部５Ｒを第１回転軸Ｘ１回りに略半回転させ、左側肘掛部５Ｌを第２回転軸Ｘ２回りに略半回転させると、図１０〜図１２に示す非使用状態に変化する。
【００４５】
マッサージ機１’は、マッサージ機１と同様の効果を奏する。
【００４６】
さらに、マッサージ機１’では、図７〜図９に示す使用状態から、右側肘掛部５Ｒを上から視て反時計回りに回転させ、左側肘掛部５Ｌを上から視て時計回りに回転させることで、図１０〜図１２に示す非使用状態に変化させることができる。また、マッサージ機１’では、図１０〜図１２に示す非使用状態から、右側肘掛部５Ｒを上から視て時計回りに回転させ、左側肘掛部５Ｌを上から視て反時計回りに回転させることで、図７〜図９に示す使用状態に変化させることができる。この手法によると、右側肘掛部５Ｒ及び左側肘掛部５Ｌの後部は左右方向から視て背凭れ部３と重なっているにもかかわらず、マッサージ機１’が使用状態であるときに背凭れ部３が座部２に最も近づいている状態での前記背凭れ部と前記座部との位置関係を維持したまま、使用状態と非使用状態との間の遷移が可能になる。つまり、マッサージ機１’を使用状態から非使用状態に遷移させる作業及びマッサージ機１’を非使用状態から使用状態に遷移させる作業が複雑化しない。
【００４７】
なお、右側肘掛部５Ｒ及び左側肘掛部５Ｌとオットマン４との位置関係は特に限定されないが、右側肘掛部５Ｒ及び左側肘掛部５Ｌ並びにオットマン４を、座部２並びに右側支持部６Ｒ及び左側支持部６Ｌに対してどのように移動させたとしても右側肘掛部５Ｒ及び左側肘掛部５Ｌの前端はオットマン４の前端よりも後方に位置していることが望ましい。これにより、右側肘掛部５Ｒ及び左側肘掛部５Ｌによってマッサージ機１’の長さ寸法が長くなることを防止することができる。
【００４８】
＜３．その他＞
上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００４９】
例えば、第１実施形態において、右側肘掛部５Ｒ及び左側肘掛部５Ｌが図１〜図３に示す位置又は図４〜図６に示す位置にくると、自動的に右側肘掛部５Ｒ及び左側肘掛部５Ｌの回転にロックを掛けるロック機構を設けることが望ましい。なお、ロックの解除は例えば被施療者がロック機構に対して操作を行うことで実行されるようにすればよい。
【００５０】
同様に、第２実施形態において、右側肘掛部５Ｒ及び左側肘掛部５Ｌが図７〜図８に示す位置又は図９〜図１２に示す位置にくると、自動的に右側肘掛部５Ｒ及び左側肘掛部５Ｌの回転にロックを掛けるロック機構を設けることが望ましい。なお、ロックの解除は例えば被施療者がロック機構に対して操作を行うことで実行されるようにすればよい。
【符号の説明】
【００５１】
１  第１実施形態に係る椅子型マッサージ機
１’  第２実施形態に係る椅子型マッサージ機
２  座部
３  背凭れ部
４  オットマン
５Ｒ  右側肘掛部
５Ｌ  左側肘掛部
６Ｒ  右側支持部
６Ｌ  左側支持部
【図１】
2020081647.tif 000003
【図２】
2020081647.tif 000004
【図３】
2020081647.tif 000005
【図４】
2020081647.tif 000006
【図５】
2020081647.tif 000007
【図６】
2020081647.tif 000008
【図７】
2020081647.tif 000009
【図８】
2020081647.tif 000010
【図９】
2020081647.tif 000011
【図１０】
2020081647.tif 000012
【図１１】
2020081647.tif 000013
【図１２】
2020081647.tif 000014
【手続補正書】
【提出日】令和1年10月7日(2019.10.7)
【手続補正１】
【補正対象書類名】明細書
【補正対象項目名】００２１
【補正方法】変更
【補正の内容】
【００２１】
右側支持部６Ｒは、右側肘掛部５Ｒを第１回転軸Ｘ１回りに回転可能に支持する。すなわち、マッサージ機１は、右側肘掛部５Ｒを第１回転軸Ｘ１回りに回転させる第１回転機構を備える。第１回転機構は、例えば、右側肘掛部５Ｒ及び右側支持部６Ｒの一方に設けられ第１回転軸Ｘ１に沿って突出する第１突出部と、右側肘掛部５Ｒ及び右側支持部６Ｒの他方に設けられ第１突出部が回転可能に嵌められる第１凹部と、によって構成される。また、右腕を施療するためのエアバッグを右側肘掛部５Ｒに設ける場合、例えば、上記の第１突出部を筒形状とし、上記の第１凹部を貫通孔形状として筒内部及び貫通孔内部にエア配管を通せばよい。また、エアバッグによるマッサージの強さを測定するための圧力センサ、被施療者の状態を検知するための生体センサ等の電子部品を右側肘掛部５Ｒに設ける場合、例えば、上記の第１突出部を筒形状とし、上記の第１凹部を貫通孔形状として筒内部及び貫通孔内部に電気配線を通せばよい。
【手続補正２】
【補正対象書類名】明細書
【補正対象項目名】００２５
【補正方法】変更
【補正の内容】
【００２５】
左側支持部６Ｌは、左側肘掛部５Ｌを第２回転軸Ｘ２回りに回転可能に支持する。すなわち、マッサージ機１は、左側肘掛部５Ｌを第２回転軸Ｘ２回りに回転させる第２回転機構を備える。第２回転機構は、例えば、左側肘掛部５Ｌ及び左側支持部６Ｌの一方に設けられ第２回転軸Ｘ２に沿って突出する第２突出部と、左側肘掛部５Ｌ及び左側支持部６Ｌの他方に設けられ第２突出部が回転可能に嵌められる第２凹部と、によって構成される。また、左腕を施療するためのエアバッグを左側肘掛部５Ｌに設ける場合、例えば、上記の第２突出部を筒形状とし、上記の第２凹部を貫通孔形状として筒内部及び貫通孔内部にエア配管を通せばよい。また、エアバッグによるマッサージの強さを測定するための圧力センサ、被施療者の状態を検知するための生体センサ等の電子部品を左側肘掛部５Ｌに設ける場合、例えば、上記の第２突出部を筒形状とし、上記の第２凹部を貫通孔形状として筒内部及び貫通孔内部に電気配線を通せばよい。
【手続補正３】
【補正対象書類名】明細書
【補正対象項目名】００５０
【補正方法】変更
【補正の内容】
【００５０】
同様に、第２実施形態において、右側肘掛部５Ｒ及び左側肘掛部５Ｌが図７〜図９に示す位置又は図１０〜図１２に示す位置にくると、自動的に右側肘掛部５Ｒ及び左側肘掛部５Ｌの回転にロックを掛けるロック機構を設けることが望ましい。なお、ロックの解除は例えば被施療者がロック機構に対して操作を行うことで実行されるようにすればよい。